(57)【要約】【課題】本発明は、点滴スタンドからチューブの一部に伸縮可能なチューブ保持紐を連結することによって、チューブを折り畳んで伸縮自在とし得るようにした新規な点滴チューブ固定具を提供することを目的とする【解決手段】点滴スタンドに吊り下げられた輸液容器と、該輸液容器と生体の血管に挿入する留置針との間に配設したチューブとを備えるとともに、前記点滴スタンドに一端を保持され、他端に設けたクリップを前記チューブの適所に連結した伸縮可能なチューブ保持紐を有することで、点滴を受ける患者の可動性を阻害することなく、要求や状態に応じ、伸縮性の異なる組合せを選択できる構造としたことを特徴とする点滴チューブ固定具。【選択図】図７
2020096675.tif 000002
【特許請求の範囲】
【請求項１】
点滴スタンドに吊り下げられた輸液容器と、該輸液容器と生体の血管に挿入する留置針との間に配設したチューブとを備えるとともに、前記点滴スタンドに一端を保持され、他端に設けたクリップを前記チューブの適所に連結した伸縮可能なチューブ保持紐を有することを特徴とする点滴チューブ固定具。
【請求項２】
前記点滴スタンドに一端を保持された伸縮可能なチューブ保持紐は、巻取り器で自動的に巻き取ることができるショックコードを備えており、伸縮可能とされていることを特徴とする請求項１に記載の点滴チューブ固定具。
【請求項３】
前記クリップは、前記チューブを保持する挟持部が、前記チューブの径の変更に対応するための径の異なる保持溝、ないしクッション材を内装されていることを特徴とする請求項１または２に記載の点滴チューブ固定具。
【請求項４】
前記点滴スタンドに一端を保持された伸縮可能なチューブ保持紐は、他端に取り付けたクリップに別途伸縮可能なチューブ保持紐が連結され、かつその先端にクリップを取り付けられていて、該クリップを前記チューブの適所に連結することにより、前記チューブを折り畳んで保持できるようにし、チューブの長さに対応した連結ができることを特徴とする請求項１ないし３のいずれかに記載の点滴チューブ固定具。
【発明の詳細な説明】
【技術分野】
【０００１】
本発明は、点滴液を輸液するための輸液セットに使用する点滴チューブ固定具に関するものである。
【背景技術】
【０００２】
従来の輸液セットはチューブの長さがほぼ一定であり、寝たきりの患者に対する使用においては何ら問題ないが、入院中の小児や児童等に対する使用に際しては、彼らがチューブの長さ以上に動き回るために、動ける範囲が狭くて不都合であるという問題があった。
またそのためにチューブを長くすると、床面に接触して不衛生面であるという問題もあった。
【０００３】
ちなみに、主に動物のための輸液セットとして、特開平９−２３９０２６号公報（特許文献１参照）には、瓶針が輸液瓶の栓体から抜け落ちないよう保持し得る輸液セットを提供するため、チューブの一部に伸縮自在なコイル部を形成することが提案されている。
【先行技術文献】
【特許文献】
【０００４】
【特許文献１】特開平９−２３９０２６号公報
【発明の概要】
【発明が解決しようとする課題】
【０００５】
しかしながら、上述のようなチューブの一部に伸縮自在なコイル部を形成するだけでは、伸縮可能な長さに限界がある上、伸縮自在なコイル部を備えたチューブが柔軟性を保持したり、経年によるへたりをなくすために多大なコスト増を招き、実用には適さなくなるという問題があった。
【０００６】
そこで本発明は、小児や児童等の自由な行動を許容しつつ、チューブが床面に接触して不衛生であるという問題を解消した点滴チューブ固定具を創案するに至ったのである。
すなわち本発明は、点滴スタンドからチューブの一部に伸縮可能なチューブ保持紐を連結することによって、チューブを折り畳んで伸縮自在とし得るようにした新規な点滴チューブ固定具を提供することを目的とするものである。
【課題を解決するための手段】
【０００７】
そこで本発明の点滴チューブ固定具は、点滴スタンドに吊り下げられた輸液容器と、該輸液容器と生体の血管に挿入する留置針との間に一定の行動範囲を確保した長さに配設したチューブとを備えるとともに、前記点滴スタンドに一端を保持され、他端に設けたクリップを前記チューブの適所に連結した伸縮可能なチューブ保持紐を有することを特徴とするものである。
【０００８】
また本発明の点滴チューブ固定具において、前記点滴スタンドに一端を保持された伸縮可能なチューブ保持紐は、巻取り器で自動的に巻き取ることができるショックコードを備えており、伸縮可能とされていることをも特徴とするものである。
【０００９】
本発明の点滴チューブ固定具において、前記クリップは、前記チューブを保持する挟持部が、前記チューブの径の変更に対応するための径の異なる保持溝、ないしクッション材を内装されていることをも特徴とするものである。
【００１０】
本発明の点滴チューブ固定具において、前記点滴スタンドに一端を保持された伸縮可能なチューブ保持紐は、他端に取り付けたクリップに別途伸縮可能なチューブ保持紐が連結され、かつその先端にクリップを取り付けられていて、該クリップを前記チューブの適所に連結することにより、前記チューブを折り畳んで保持できるようにしたことをも特徴とするものである。
【発明の効果】
【００１１】
上記した本発明の点滴チューブ固定具によれば、下記の如き種々の優れた効果を奏し得る。
（ａ）請求項１の点滴チューブ固定具は、点滴スタンドに吊り下げられた輸液容器と、該輸液容器と生体の血管に挿入する留置針との間に配設したチューブとを備えるとともに、前記点滴スタンドに一端を保持され、他端に設けたクリップを前記チューブの適所に連結した伸縮可能なチューブ保持紐を有するようにしたので、入院中の小児や児童等が動き回っても動ける範囲が狭くて不都合であるという問題や、チューブが長いために床面に接触して不衛生面であるという問題が解消できる。
【００１２】
（ｂ）請求項２の点滴チューブ固定具は、前記点滴スタンドに一端を保持された伸縮可能なチューブ保持紐は、巻取り器で自動的に巻き取ることができるショックコードを備えていて伸縮可能とされているので、入院中の小児や児童等が動き回ってもチューブの伸縮が迅速になされ、小児や児童等が動ける範囲が狭くて不都合であるという問題や、チューブが長いために床面に接触して不衛生面であるという問題が解消できる。
【００１３】
（ｃ）請求項３の点滴チューブ固定具は、前記クリップは、前記チューブを保持する挟持部が、前記チューブの径の変更に対応するための径の異なる保持溝、ないしクッション材を内装されているので、点滴スタンドに使用されるチューブの太さが異なっても点滴液を閉塞することなく輸液しながらチューブの装着が迅速に行うことができるという効果が期待できる。
【００１４】
（ｄ）請求項４の点滴チューブ固定具は、前記点滴スタンドに一端を保持された伸縮可能なチューブ保持紐は、他端に取り付けたクリップに別途伸縮可能なチューブ保持紐が連結され、かつその先端にクリップを取り付けられていて、該クリップを前記チューブの適所に連結することにより、前記チューブを折り畳んで保持できるようにしたので、小児や児童等の突発的な行動等によってチューブに張力が作用しても、留置針からコネクタが引き抜かれてしまうといった不具合を確実に回避することができる。
【図面の簡単な説明】
【００１５】
【図１】本発明の点滴チューブ固定具の実施の形態の一例を示し、そこで使用するクリップの概略正面図である。
【図２】その概略平面図である。
【図３】その概略要部断面図である。
【図４】クリップを開いてチューブを取り付けようとする状態の概略正面図である。
【図５】その概略断面図である。
【図６】チューブを取り付けた状態の概略断面図である。
【図７】本発明の点滴チューブ固定具の実施の形態の一例を示す概略側面図である。
【図８】チューブが牽引されている状態を示す概略側面図である。
【図９】本発明の点滴チューブ固定具の実施の形態の他の例を示す概略側面図である。
【図１０】チューブが牽引されている状態を示す概略側面図である。
【発明を実施するための形態】
【００１６】
以下本発明の実施の形態を図面を参照しつつ説明する。
図１〜図６は本発明を実施する形態の一例を示すもので、本発明の点滴チューブ固定具の実施の形態の一例を示し、そこで使用するクリップを説明するためのものである。
【００１７】
図１〜図３において、前記クリップ２１は軸部２１ａを挟んで一方の側には挟持部２１ｂを、他方の側にはつまみ２１ｃを備えており、該つまみ２１ｃの内側に配設したバネ２１ｄによって常態で前記挟持部２１ｂ側が閉じるように付勢されている。
また、チューブ１１を保持する前記挟持部２１ｂはクッション材２２を内装されており、しかもクッション材２２には前記チューブ１１の径の変化に対応してチューブを固定するために径の異なる保持溝２２ａ，２２ｂが形成されている。もちろん、この保持溝２２ａ，２２ｂのサイズや数は適宜決定することができる。
【００１８】
前記クリップ２１の使用に際しては、図４および図５のようにつまみ２１ｃを指で挟んで挟持部２１ｂを開いてチューブ１１をその内側にはめ込み、つまみ２１ｃから指を離し、図６のように前記挟持部２１ｂを閉じてチューブ１１を挟着する。
【００１９】
次に、前記クリップを使用する本発明の点滴チューブ固定具１０は、図７に示すように、点滴スタンド１２に吊り下げられた輸液容器１３と、該輸液容器１３と生体の血管に挿入する留置針（図示省略）との間に配設したチューブ１１とを備えるとともに、前記点滴スタンド１２に一端を保持され、他端に設けた前記クリップ２１を前記チューブ１１の適所に連結した伸縮可能なチューブ保持紐１４とを有するものである。
【００２０】
より詳しくは、前記点滴スタンド１２に一端を保持された伸縮可能なチューブ保持紐１４は、前記点滴スタンド１２に設けたフック１５を介して丸環１６等で吊り下げた巻取り器１７で自動的に巻き取ることができる。例えばショックコード等からなり、かりにこれらに伸縮性がなくとも伸縮可能とされている。
なお、図７および図８に示すように、伸縮可能なチューブ保持紐１４にショックコード１８を用いて巻取り器１７で巻き取るだけでなく、ショックコード１８の端部にゴム紐１９を連結して利用することにより、より衝撃緩衝作用の高い伸縮可能なチューブ保持紐１４とすることができる。
図７において１２ａは底面にキャスタ１２ｂが取り付けられた台座、１２ｃは前記点滴スタンド１２の上端の両側に水平方向に取り付けた吊下げ用アームである。
【００２１】
そして、前記点滴スタンド１２に一端を保持された伸縮可能なチューブ保持紐１４は、他端に取り付けたクリップ２１を前記チューブ１１の適所に連結することにより、図７に示すように前記チューブ１１を折り畳んで保持できるようになっている。
その上で使用に際しては、小児や児童等が動き回ることにより前記チューブ１１が例えば矢印の方向に牽引されるのであるが、図８に示すように、前記チューブ保持紐１４を構成するショックコード１８およびゴム紐１９が伸縮して迅速に前記動きに追従することができ、入院中の小児や児童等が動き回っても動ける範囲が狭くて不都合であるという問題や、前記チューブ１１が長いために床面に接触して不衛生面であるという問題が生じることはない。
【００２２】
図９および図１０は、本発明の点滴チューブ固定具１０の他の実施の形態を示すものであり、図９に示すように、点滴スタンド１２に吊り下げられた輸液容器１３と、該輸液容器１３と生体の血管に挿入する留置針（図示省略）との間に配設したチューブ１１とを備えるとともに、前記点滴スタンド１２に一端を保持され、他端に設けた前記クリップ２１を前記チューブ１１の適所に連結した伸縮可能なチューブ保持紐１４とを有している。
本例では前記チューブ保持紐１４の先端に異なるチューブ保持紐３１が連結され、その先端にさらにクリップ３２を取り付けており、該クリップ３２を前記チューブ１１の先端側の適所に連結することにより、前記チューブ１１を折り畳んで保持できるようにしたものである。
【００２３】
こうすることによって前記チューブ１１の長さをより長くしてもチューブが床面に接触することなく衛生面でも何ら問題なく対応することができ、図１０のように前記チューブ１１を無理なく伸長させることができるため、小児や児童等が動き回っても前記チューブ保持紐１４，３１が伸縮して迅速に前記動きに追従することができ、入院中の小児や児童等が動き回っても動ける範囲が狭くて不都合であるという問題や、前記チューブ１１が長いために床面に接触して不衛生面であるという問題が生じることがない。
【産業上の利用可能性】
【００２４】
本発明は以上のように構成したので、治療対象となる生体は、小児や児童等の人（患者）であって、人以外の家畜や、家畜以外の愛玩用又は実験用飼育動物、あるいは、その他、本発明の要旨を逸脱しない範囲内において種々変更を加え得ることは勿論である。
【符号の説明】
【００２５】
１０  点滴チューブ固定具
１１  チューブ
１２  点滴スタンド
１２ａ  台座
１２ｂ  キャスタ
１２ｃ  台座
１２ｄ  吊下げ用アーム
１３  輸液容器
１４  チューブ保持紐
１５  フック
１６  丸環
１７  巻取り器
１８  ショックコード
１９  ゴム紐
２１  クリップ
２１ａ  軸部
２１ｂ  挟持部
２１ｃ  つまみ
２１ｄ  バネ
２２  クッション材
２２ａ，２２ｂ  保持溝
３１  チューブ保持紐
３２  クリップ
【図１】
2020096675.tif 000003
【図２】
2020096675.tif 000004
【図３】
2020096675.tif 000005
【図４】
2020096675.tif 000006
【図５】
2020096675.tif 000007
【図６】
2020096675.tif 000008
【図７】
2020096675.tif 000009
【図８】
2020096675.tif 000010
【図９】
2020096675.tif 000011
【図１０】
2020096675.tif 000012